(57)【要約】【課題】  発光装置を備える画像表示装置において、表示画像がスクリーンセーバー画像へ切り替わった後に、再び元の表示画像に復帰する場合に、復帰後の表示画像の画質を向上させることができる画像表示装置を提供する。【解決手段】  本発明の画像表示装置は、画面を構成する複数の分割領域を有する画像表示装置であって、画面に表示される画像の画像データに基づいて、複数の分割領域のそれぞれに対して、個別に発光輝度を制御可能な発光手段と、画面に画像を表示する表示手段と、を備え、表示中の第１の画像から第１の画像とは異なる第２の画像を表示するモードに遷移した場合に、発光手段は、一部の分割領域においては、第１の画像の画像データに基づく発光輝度で発光し、一部の分割領域以外の領域においては、所定の発光輝度で発光する。【選択図】  図１
2014206691.tif 000002
【特許請求の範囲】
【請求項１】
画面を構成する複数の分割領域を有する画像表示装置であって、
前記画面に表示される画像の画像データに基づいて、前記複数の分割領域のそれぞれに対して、個別に発光輝度を制御可能な発光手段と、
前記画面に画像を表示する表示手段と、
を備え、
表示中の第１の画像から前記第１の画像とは異なる第２の画像を表示するモードに遷移した場合に、前記発光手段は、一部の分割領域においては、前記第１の画像の画像データに基づく発光輝度で発光し、前記一部の分割領域以外の領域においては、所定の発光輝度で発光することを特徴とする画像表示装置。
【請求項２】
前記モードは、ユーザによる操作が所定期間ない場合に、前記第２の画像を前記表示手段に表示するモードであることを特徴とする請求項１に記載の画像表示装置。
【請求項３】
前記モードは、ユーザによる指示によって、前記第２の画像を前記表示手段に表示するモードであることを特徴とする請求項１に記載の画像表示装置。
【請求項４】
前記発光手段は、前記第２の画像が前記表示装置に表示されてから所定期間が経過した後に、前記第２の画像の画像データに基づいて、前記第２の画像に対する発光を制御することを特徴とする請求項２に記載の画像表示装置。
【請求項５】
前記第１の画像のうち、前記一部の分割領域に表示される画像は、静止画コンテンツに基づく画像または動画像であることを特徴とする請求項１から４のいずれか１項に記載の画像表示装置。
【請求項６】
前記第２の画像は、単一色の画像データに基づく画像であることを特徴とする請求項１から５のいずれか１項に記載の画像表示装置。
【請求項７】
前記表示手段の透過率を制御する制御手段をさらに備え、
前記制御手段は、前記画面における前記一部の分割領域からの距離に応じて、前記表示手段の透過率を段階的に上げる制御を実行することを特徴とする請求項６に記載の画像表示装置。
【請求項８】
前記発光手段は、前記画面における前記一部の分割領域からの距離に応じて、発光輝度を段階的に下げる制御を実行することを特徴とする請求項６に記載の画像表示装置。
【請求項９】
前記所定の発光輝度は、所定の閾値よりも低い値であることを特徴とする請求項１から８のいずれか１項に記載の画像表示装置。
【請求項１０】
画面を構成する複数の分割領域を有し、前記画面に画像を表示する表示手段を備える画像表示装置の制御方法であって、
前記画面に表示される画像の画像データに基づいて、前記複数の分割領域のそれぞれに対して、個別に発光輝度を制御可能な発光ステップを備え、
表示中の第１の画像から前記第１の画像とは異なる第２の画像を表示するモードに遷移した場合に、前記発光ステップでは、一部の分割領域においては、前記第１の画像の画像データに基づく発光輝度で発光し、前記一部の分割領域以外の領域においては、所定の発光輝度で発光することを特徴とする画像表示装置の制御方法。
【請求項１１】
前記モードは、ユーザによる操作が所定期間ない場合に、前記第２の画像を前記表示手段に表示するモードであることを特徴とする請求項１０に記載の画像表示装置の制御方法。
【請求項１２】
前記モードは、ユーザによる指示によって、前記第２の画像を前記表示手段に表示するモードであることを特徴とする請求項１０に記載の画像表示装置の制御方法。
【請求項１３】
前記発光ステップでは、前記第２の画像が前記表示装置に表示されてから所定期間が経過した後に、前記第２の画像の画像データに基づいて、前記第２の画像に対する発光を制御することを特徴とする請求項１１に記載の画像表示装置の制御方法。
【請求項１４】
前記第１の画像のうち、前記一部の分割領域に表示される画像は、静止画コンテンツに基づく画像または動画像であることを特徴とする請求項１０から１３のいずれか１項に記載の画像表示装置の制御方法。
【請求項１５】
前記第２の画像は、単一色の画像データに基づく画像であることを特徴とする請求項１０から１４のいずれか１項に記載の画像表示装置の制御方法。
【請求項１６】
前記表示手段の透過率を制御する制御ステップをさらに備え、
前記制御ステップでは、前記画面における前記一部の分割領域からの距離に応じて、前記表示手段の透過率を段階的に上げる制御を実行することを特徴とする請求項１５に記載の画像表示装置の制御方法。
【請求項１７】
前記発光ステップでは、前記画面における前記一部の分割領域からの距離に応じて、発光輝度を段階的に下げる制御を実行することを特徴とする請求項１５に記載の画像表示装置の制御方法。
【請求項１８】
前記所定の発光輝度は、所定の閾値よりも低い値であることを特徴とする請求項１０から１７のいずれか１項に記載の画像表示装置の制御方法。
【発明の詳細な説明】
【技術分野】
【０００１】
本発明は、画像表示装置及びその制御方法に関する。
【背景技術】
【０００２】
近年、液晶を用いた画像表示装置（液晶表示装置）において、画面を構成する複数の分割領域のそれぞれに対応する制御領域毎に、入力画像信号に応じて、ＬＥＤなどの光源から構成されるバックライトの発光輝度（バックライト輝度）を個別に制御する技術がある。また、制御領域毎に、入力画像信号に応じてバックライト輝度を個別に制御すると共に、当該発光輝度のレベルに応じて画像信号を補正する技術がある。これらの技術はローカルディミング制御技術と呼ばれ、ローカルディミング制御技術を用いることで表示画像のコントラストを向上することができ、黒浮きを抑制することができる。
【０００３】
ローカルディミング制御技術に関する従来技術は、例えば、特許文献１に開示されている。具体的には、特許文献１には、バックライトが点灯された点灯分割領域に隣接する一定幅の隣接領域において、当該バックライトが点灯された点灯分割領域での発光輝度より低い発光輝度で、バックライトを発光させる構成が開示されている。特許文献１に開示の技術を用いることにより、不自然な黒浮きの発生を抑制することができる。
【０００４】
ところで、医療現場では、Ｘ線装置やＭＲＩ装置などの医用診断装置により撮影された診断画像を用いる診断（画像診断）が行われる。従来は、この診断画像をＸ線フイルムなどの画像記録フイルムに出力していたが、これでは画像記録フイルムのコストがかかってしまう。さらに、画像診断時において診断画像が多い場合には、画像記録フイルムの枚数も多くなり、画像診断を効率的に行うことができない、といった問題なども発生していた。そこで、近年では、これらの問題を解決するために、診断画像を画像記録フイルムに出力するのではなく、診断画像信号を液晶表示装置（液晶ディスプレイ）などのディスプレイに出力して、診断画像をディスプレイに表示させる場合が増加している。
【０００５】
また、患者の個人情報を多数扱っている医療現場では、プライバシーやセキュリティーの観点から、スクリーンセーバー機能をコンピュータにインストールしている場合が多い。スクリーンセーバー機能とは、ユーザがコンピュータを使用していないときには、表示画面に黒色の画像（黒画像）を表示させたり、簡単なアニメーションなどを表示させる機能である。なお、以下では、スクリーンセーバー機能により表示される黒画像やアニメーションなどの画像をスクリーンセーバー画像と呼ぶ。
【０００６】
このようなスクリーンセーバー機能をインストールしているコンピュータを用いて画像診断をする際、画像診断中に一定時間コンピュータの操作をしない場合がある。このような場合、ユーザの意図に反して、診断画像が表示される画面からスクリーンセーバー画像が表示される画面へと、ディスプレイの表示画面が切り替わることがある。そうなると、ユーザは、マウスの操作やキーボードの入力などによって再度、診断画像が表示される画面に復帰させる場合がある。
【先行技術文献】
【特許文献】
【０００７】
【特許文献１】特開２００８−５１９０５号公報
【発明の概要】
【発明が解決しようとする課題】
【０００８】
しかしながら、特許文献１に記載のローカルディミング制御技術では、ディスプレイに入力された画像信号に合わせて、即時にバックライト輝度を変化させる。そのため、スクリーンセーバー画像が表示される場合においても、スクリーンセーバー画像の画像信号に合わせて、バックライト輝度を変更させることになる。そうなると、例えば、バックライト輝度が明るい診断画像から、バックライト輝度が低い黒色のスクリーンセーバー画像に遷移する場合には、バックライトの光源の温度は高い状態から、低い状態に下がる。バックライトの光源の温度が低いと、診断画像の画質が安定しない。このように、スクリーンセーバーにより一旦温度が下がってしまうと、バックライトの光源の温度が、診断画像の画質が安定する高い温度に戻るまでには時間を要してしまう。さらに、画質が安定するまでの間は、診断画像の画質が不安定な状態であり、画像診断の精度が落ちてしまう。
【０００９】
本発明は、発光装置を備える画像表示装置において、表示画像がスクリーンセーバー画像へ切り替わった後に、再び元の表示画像に復帰する場合に、復帰後の表示画像の画質を向上させることを目的とする。
【課題を解決するための手段】
【００１０】
本発明の第１の態様は、画面を構成する複数の分割領域を有する画像表示装置であって、前記画面に表示される画像の画像データに基づいて、前記複数の分割領域のそれぞれに対して、個別に発光輝度を制御可能な発光手段と、前記画面に画像を表示する表示手段と、を備え、表示中の第１の画像から前記第１の画像とは異なる第２の画像を表示するモードに遷移した場合に、前記発光手段は、一部の分割領域においては、前記第１の画像の画像データに基づく発光輝度で発光し、前記一部の分割領域以外の領域においては、所定の発光輝度で発光する。
【００１１】
本発明の第２の態様は、画面を構成する複数の分割領域を有し、前記画面に画像を表示する表示手段を備える画像表示装置の制御方法であって、前記画面に表示される画像の画像データに基づいて、前記複数の分割領域のそれぞれに対して、個別に発光輝度を制御可能な発光ステップを備え、表示中の第１の画像から前記第１の画像とは異なる第２の画像を表示するモードに遷移した場合に、前記発光ステップでは、一部の分割領域においては、前記第１の画像の画像データに基づく発光輝度で発光し、前記一部の分割領域以外の領域においては、所定の発光輝度で発光する。
【発明の効果】
【００１２】
本発明によれば、発光装置を備える画像表示装置において、表示画像がスクリーンセーバー画像へ切り替わった後に、再び元の表示画像に復帰する場合に、復帰後の表示画像の画質を向上させることができる。
【図面の簡単な説明】
【００１３】
【図１】第１の実施例における画像処理装置と表示制御装置のシステム構成を示すブロック図
【図２】第１の実施例における画像処理装置の動作を説明するためのフローチャート
【図３】第１の実施例における表示制御装置のバックライト輝度選択処理を説明するためのフローチャート
【図４】第２の実施例における画像処理装置と表示制御装置の構成を示すブロック図
【図５】第２の実施例における画像処理装置の動作を説明するためのフローチャート
【図６】第２の実施例における表示制御装置のバックライト輝度選択処理を説明するためのフローチャート
【図７】実施例におけるバックライトの構成例を示す図
【図８】第３の実施例における画像処理装置と表示制御装置の構成を示すブロック図
【図９】第３の実施例における画像処理装置の動作を説明するためのフローチャート
【図１０】第３の実施例における表示制御装置のバックライト輝度選択処理を説明するためのフローチャート
【図１１】第４の実施例における画像処理装置の動作を説明するためのフローチャート
【図１２】第４の実施例における表示制御装置のバックライト輝度選択処理を説明するためのフローチャート
【図１３】第５の実施例における表示制御装置のバックライト輝度選択処理を説明するためのフローチャート
【図１４】第５の実施例における構成及び効果を説明するための説明図
【図１５】第６の実施例における構成及び効果を説明するための説明図
【発明を実施するための形態】
【００１４】
＜実施例１＞
以下、本発明の実施例１に係る画像表示装置及びその制御方法について説明する。図１は、本発明を適用した画像処理装置と表示制御装置からなるシステム構成を示すブロック図である。図１で示されるように、ＰＣ（Ｐｅｒｓｏｎａｌ  Ｃｏｍｐｕｔｅｒ）などの画像処理装置１００は、ＤＶＩ（Ｄｉｇｉｔａｌ  Ｖｉｓｕａｌ  Ｉｎｔｅｒｆａｃｅ）などの画像信号線１０２を介して表示制御装置１０１と接続される。画像処理装置１００は、表示制御装置１０１へ画像信号（画像データ）を出力する。表示制御装置１０１は、画像処理装置１００から出力された画像信号に基づいて、液晶パネル２１８、および、発光輝度を制御可能な発光ユニットであるバックライト２１９からなる、表示ユニットである表示部１０４を制御し、画像を表示させる。具体的には、表示部１０４は透過型液晶パネルを使用した表示器である。画像表示装置は、表示制御装置１０１と表示部１０４から構成される。表示部１０４は、入力された画像信号に基づき順次液晶パネル２１８を駆動し、バックライト２１９からの光の透過率を画素毎に調節することによって、画像を表示する。表示部１０４の表示領域（画面を構成する領域）は、後述のバックライト２１９の制御領域８０１の各々に対応する２以上の複数の領域に分割される。画像処理装置１００と表示制御装置１０１は、ＵＳＢ（Ｕｎｉｖｅｒｓａｌ  Ｓｅｒｉａｌ  Ｂｕｓ）や、ＤＶＩのＤＤＣ（Ｄｉｓｐｌａｙ  Ｄａｔａ  Ｃｈａｎｎｅｌ）などのデータ信号線１０３を介して、データ通信を行う。なお、本実施例では、静止画コンテンツに基づく画像を表示させる場合を例示する。
【００１５】
図７は、本実施例におけるバックライト２１９の構成例を示す図である。バックライト２１９は、図７に示されるように、光源として赤色、緑色、青色のＬＥＤ（Ｌｉｇｈｔ  Ｅｍｉｔｔｉｎｇ  Ｄｉｏｄｅ）８００を用い、マトリックス状に複数の制御領域８０１に分割される。複数の制御領域８０１のそれぞれは、画面を構成する複数の分割された領域（複数の分割領域）のそれぞれに対応する。ここでは、１つの制御領域８０１には、１個の赤色のＬＥＤ、１個の青色のＬＥＤ、２個の緑色のＬＥＤが配置される。バックライト２１９は、制御領域８０１毎に、後述する点灯制御部２１５によって、独立に発光が制御される。
【００１６】
画像処理装置１００は、後述する操作検出部２００、モード変更部２０１、モード管理部２０２、通信制御部２０３、画像生成部２０４および画像信号出力部２０５を備える。表示制御装置１０１は、後述する通信制御部２０６、画質モード設定部２０７、バックライト輝度決定部２０８、画像入力部（入力ユニット）２０９、画質制御部２１０、バックライト輝度制御部（制御ユニット）２１２、画像信号補正部２１３、画像出力部２１４および点灯制御部２１５を備える。
【００１７】
ここで、画像処理装置１００の各処理ブロックの機能について説明する。操作検出部２００は、ＵＳＢで接続されたマウス、キーボード（不図示）などによるユーザ操作を検出する。そして、操作検出部２００は、一定時間（所定期間）ユーザ操作が無い場合、無操作情報をモード変更部２０１へ出力する。操作検出部２００は、無操作情報の出力後に、ユーザ操作を検出した場合、モード変更部２０１へユーザ操作の再開に関する情報（操作再開情報）を出力する。このように、操作検出部２００は、モード変更部２０１に対して、ユーザ操作に関する情報を出力する。
【００１８】
モード変更部２０１は、無操作情報が入力される場合、モード管理部２０２に対して、スクリーンセーバー画像の生成を開始するように指示を行う。また、モード変更部２０１は、操作再開情報が入力される場合、モード管理部２０２に対して、スクリーンセーバー画像の生成を終了するように指示を行う。なお、スクリーンセーバー画像とは、簡単なアニメーションや黒色の画像（黒画像）などである。そして、モード管理部２０２は、モード変更部２０１から、スクリーンセーバー画像の生成の開始指示を受けると、スクリーンセーバーモードがオンであるという情報を通信制御部２０３に対して通知する。さらに、モード管理部２０２は、モード変更部２０１から、スクリーンセーバー画像の表示の終了指示を受けると、スクリーンセーバーモードがオフであるという情報を通信制御部２０３に対して通知する。つまり、モード管理部２０２は、スクリーンセーバーモードのオン／オフに関する情報（以下、それぞれの情報をオン情報、オフ情報という）を、通信制御部２０３に対して通知する。通信制御部２０３は、データ信号線１０３を介して、画像処理装置１００のスクリーンセーバーモードのオン／オフに関する情報を、表示制御装置１０１側の通信制御部２０６へ送信する。
【００１９】
スクリーンセーバーモードのオン遷移時には、モード管理部２０２は、スクリーンセーバーモードのオン情報を通信制御部２０３に対して通知した後、スクリーンセーバー画像の画像信号を生成するように、画像生成部２０４に指示を出力する。その後、画像生成部２０４はスクリーンセーバー画像の画像信号を生成して、画像信号出力部２０５に出力する。その後、画像信号出力部２０５は、当該画像信号を画像信号線１０２を介して、表示制御装置１０１の画像信号入力部２０９に出力する。
【００２０】
スクリーンセーバーモードのオフ遷移時には、モード管理部２０２は、スクリーンセーバーモードのオフ情報を通信制御部２０３に対して通知後、表示制御装置１０１へのスクリーンセーバー画像の出力を停止するように画像信号出力部２０５に対して要求する。画像信号出力部２０５は、表示制御装置１０１へのスクリーンセーバー画像の出力を停止した後、画像信号出力部２０５からの元の表示画像の画像信号を表示制御装置１０１へ出力する。なお、ここで、元の表示画像の画像信号とは、スクリーンセーバーモードへの遷移前に、画像処理装置１００から表示制御装置１００に出力されていた画像信号のことである。言い換えれば、元の表示画像の画像信号とは、スクリーンセーバーモードへの遷移前に、表示部１０４に表示されていた画像の画像信号である。
【００２１】
画像生成部２０４は、内蔵メモリ等に保存している画像ファイルもしくは外部メモリから入力される画像ファイルをデコード処理して画像信号を生成する。そして、画像生成部２０４は、当該画像信号を画像信号出力部２０５に出力する。その後、当該画像信号が、画像信号出力部２０５から、表示制御装置１０１の画像信号入力部２０９に出力される。そして、表示制御装置１０１において所定の処理がなされた後に、当該画像信号に基づく画像が、表示部１０４に表示される。
【００２２】
また、画像生成部２０４は、モード管理部２０２からの指示だけではなく、操作検出部２００から直接出力されるユーザ操作信号に基づいて、画像信号を生成する。当該画像信号に基づいて、ユーザが表示させたい画像が表示部１０４に表示される。
【００２３】
次に、表示制御装置１０１の各処理ブロックの機能について説明する。通信制御部２０６は、受信したスクリーンセーバーモードのオン情報をバックライト輝度決定部２０８へ通知する。画質モード設定部２０７は、例えばＯＳＤ（Ｏｎ  Ｓｃｒｅｅｎ  Ｄｉｓｐｌａｙ）などの操作画面を介して、ユーザ操作によって設定された画質モードを、画質制御部２１０へ出力する。また、画質モード設定部２０７は、設定された画質モードをバックライト輝度決定部２０８へ出力する。ここで、画質モードとは、例えばテキスト表示モードや静止画像表示モード、医療コンテンツ表示モードなどがあり、それぞれの表示に対して最適な画質処理を行うために設定されるモードである。なお、ここでの医療コンテンツ表示モードとは、例えばＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）  ｐａｒｔ１４規格に準拠した画質モードである。ＤＩＣＯＭは、医用画像を診断するのに適切な階調特性を保証する画質モードである。
【００２４】
バックライト輝度決定部２０８は、通信制御部２０６を介して入力されたスクリーンセーバーモードのオン情報と、画質モード設定部２０７から入力される画質モードとに従い、スクリーンセーバー画像に対する発光輝度を決定する。具体的には、バックライト輝度決定部２０８は、後述するバックライト輝度制御部２１２が備える第１のバックライト輝度情報と第２のバックライト輝度情報のどちらか一方を選択し、バックライトの発光輝度（バックライト輝度）を決定する制御を行う。
【００２５】
画像信号入力部２０９は、入力した画像信号を画質制御部２１０へ出力する。画質制御部２１０は、画質モード設定部２０７で設定された画質モードに従い、入力された画像信号に対して、高画質化処理などの所望の画像信号処理を適用する。その後、画質制御部２１０は、画像信号補正部２１３へ画像信号を出力する。バックライト輝度制御部２１２は、第１のバックライト輝度情報記憶部２１６（第１記憶部２１６）と第２のバックライト輝度情報記憶部２１７（第２記憶部２１７）を備える。バックライト輝度制御部２１２は、入力される画像信号に基づいて、全ての制御領域８０１のバックライト輝度を算出する。ここで算出されるバックライト輝度の情報は、第１記憶部２１６に記憶される第１のバックライト輝度情報である。なお、本実施例では、画像信号に黒信号が含まれる場合であっても、表示画像に生じる違和感を防止するため、黒信号に対応するバックライトの輝度は０としない。ここでは、黒信号に対応するバックライトの輝度は、例えば白信号の５分の１程度の輝度とする。
【００２６】
また、バックライト輝度制御部２１２は、バックライト輝度決定部２０８からの指示に従って、バックライト輝度情報を切り換え、点灯制御部２１５へ出力する。ここで、バックライト輝度情報とは、前述した第１のバックライト輝度情報と、第２記憶部２１７に記憶される第２のバックライト輝度情報とを備える。第２のバックライト輝度情報とは、スクリーンセーバー画像が表示制御装置１０１に入力される直前まで、表示制御装置１０１に入力されていた画像信号に基づく画像信号の第１のバックライト輝度情報を第２記憶部２１７に記憶した情報である。つまり、第２のバックライト輝度情報とは、元の表示画像の画像信号に基づくバックライト輝度情報である。なお、第２のバックライト輝度情報は、表示制御装置１０１に入力される画像信号に基づいて、再算出されることはない。
【００２７】
バックライト輝度制御部２１２は、選択されたバックライト輝度情報に基づいてバックライトを点灯した場合の、隣接する制御領域８０１への光の漏れ具合を考慮して、バックライト輝度分布情報を算出する。そして、バックライト輝度制御部２１２は、当該バックライト輝度分布情報を、画像信号補正部２１２へ出力する。画像信号補正部２１２は、入力されたバックライト輝度分布情報に基づいて、各制御領域８０１で増減したバックライト輝度に応じて画像信号を補正し、画像出力部２１４へ出力する。画像出力部２１４は、入力された画像信号を液晶パネル２１８へ出力するとともに、点灯制御部２１５へ画像の垂直同期信号を出力する。点灯制御部２１５は、入力されたバックライト輝度情報から、点灯制御データを生成し、入力される画像の垂直同期信号に同期し、バックライト２１９の点灯制御を行う。
【００２８】
次に画像処理装置１００としてのＰＣの動作について説明する。図２は、本実施例における画像処理装置の動作を説明するためのフローチャートであり、図２を用いて説明する。ユーザがＰＣのＯＳへのログイン操作を行うと、ＰＣは操作検出部２００の処理を開始し、本フローは開始される。
【００２９】
Ｓ３０１で、操作検出部２００は、ある画像の表示中に、ＵＳＢで接続されたマウス、キーボードのユーザによる無操作の状態を検出する。Ｓ３０２で、操作検出部２００は、タイマー（不図示）により無操作時間をカウントし、一定時間、ユーザ操作が無い場合、モード変更部２０１へ無操作情報を出力する（Ｓ３０２でＹｅｓ）。
【００３０】
Ｓ３０３で、モード変更部２０１は、無操作情報の通知を受けて、スクリーンセーバー画像の生成を開始するようにモード管理部２０２に対して指示する。Ｓ３０４で、モード管理部２０２は、モード変更部２０１からスクリーンセーバー画像の表示の開始指示を受けて、通信制御部２０３へスクリーンセーバーモードのオン情報を通知する。Ｓ３０５で、モード管理部２０２は、スクリーンセーバー画像の画像信号を生成するよう、画像生成部２０４に指示する。そして、スクリーンセーバー画像の画像信号が、画像生成部２０４から画像信号出力部２０５に出力される。その後、スクリーンセーバー画像の画像信号が、表示制御装置１０１に出力され、前述のような所定の処理がなされた後に、表示部１０４にスクリーンセーバー画像が表示される。
【００３１】
Ｓ３０６で、スクリーンセーバーモードに遷移後、操作検出部２００が、ＵＳＢで接続されたマウスやキーボードのユーザ操作の状態を検出した場合（Ｓ３０６でＹｅｓ）、モード変更部２０１へユーザ操作の再開に関する情報を出力する。Ｓ３０７で、モード変更部２０１は、ユーザ操作の再開情報を受け取ると、スクリーンセーバー画像の表示を終了するようにモード管理部２０２に対して指示する。Ｓ３０８で、モード管理部２０２は、スクリーンセーバー画像の表示終了の指示を受けて、スクリーンセーバーモードのオフ情報を通信制御部２０３に対して通知する。また、モード管理部２０２は、スクリーンセーバー画像の画像信号の表示制御装置１０１への出力を停止するよう、画像信号出力部２０５に対して要求する。そして、Ｓ３０９で、画像信号出力部２０５は、スクリーンセーバー画像の画像信号の表示制御装置１０１への出力停止後、元の表示画像の画像信号を出力する。
【００３２】
次に表示制御装置１０１のバックライト輝度の選択処理について説明する。図３は、第１の実施例における表示制御装置１０１のバックライト輝度選択処理を説明するためのフローチャートであり、図３を用いて説明する。本フローは、ＰＣからスクリーンセーバーモードのオン／オフに関する情報が入力されてから、開始される。
【００３３】
Ｓ４０１で、バックライト輝度決定部２０８は、通知されたスクリーンセーバーモードがオンかオフかを判定する。スクリーンセーバーモードがオフの場合（Ｓ４０１でＮｏ）、Ｓ４０６で、バックライト輝度決定部２０８は、第１のバックライト輝度情報を選択する。Ｓ４０２で、バックライト輝度決定部２０８は、スクリーンセーバーモードがオンの場合（Ｓ４０１でＹｅｓ）、画質モードが医療コンテンツ表示モードであるか否かを判定する。医療コンテンツ表示モードでない場合（Ｓ４０２でＮｏ）、Ｓ４０６で、バックライト輝度決定部２０８は、第１のバックライト輝度情報を選択し、スクリーンセーバー画像の画像信号に基づいて、輝度を求める。画質モードが医療コンテンツ表示モード場合（Ｓ４０２でＹｅｓ）、Ｓ４０３で、バックライト輝度決定部２０８は、スクリーンセーバー画像が表示制御装置１０１に入力される直前まで、表示制御装置１０１に入力されていた画像の画像信号に基づく第１のバックライト輝度情報を、第２記憶部２１７に第２のバックライト輝度情報として記憶させる。
【００３４】
そして、Ｓ４０４で、バックライト輝度決定部２０８は、バックライト輝度制御部２１２に対して、第２のバックライト輝度情報に基づいてバックライト輝度を制御するように指示する。そして、Ｓ４０５で、バックライト輝度決定部２０８は、第２のバックライト輝度情報に切り替えられた後、時間のカウントを開始し、一定時間が経過したか判定する。そして、Ｓ４０５で、所定の一定時間が経過すれば、バックライト輝度決定部２０８は、バックライト輝度制御部２１２に対して、第１のバックライト輝度情報に基づいてバックライト輝度を制御するように指示する。第１のバックライト輝度情報は、表示制御装置１０１に入力されているスクリーンセーバー画像の画像信号に基づき算出される輝度情報である。ここでは、所定の一定時間が経過した場合は、ユーザが元の画像の画質の状態を忘れている可能性が高いため、Ｓ４０６のような制御を行う。このような場合には、スクリーンセーバーモードへの遷移前の表示画像と、スクリーンセーバーモードからの復帰後の表示画像との画質を合わせなくてもよい可能性が高い。そのため、Ｓ４０６のような制御を行えば、スクリーンセーバー画像の画質を向上させることができる。なお、第２のバックライト輝度情報に基づくバックライト輝度を維持し続けてもよい。Ｓ４０６における指示が完了すれば、バックライト輝度の選択処理を終了する。
【００３５】
本実施例では、上述のように、元の表示画像に対するバックライト輝度と、スクリーンセーバー画像に対するバックライト輝度が同一になる。つまり、スクリーンセーバーモードへの遷移時に、スクリーンセーバー画像の画像信号に基づいたバックライト輝度制御がなされない。そのため、スクリーンセーバー画像から元の表示画像への復帰時において、復帰直後の元の表示画像に対するバックライト２１９の光源は、温度変化が少ない状態である。それ故、復帰直後の元の表示画像に対するバックライト光源の温度が、遷移前の表示画像と略同等の温度に安定して維持される状態となる。その結果、スクリーンセーバー画像から元の表示画像への復帰時において、復帰直後から当該表示画像における画質を安定させることができ、当該表示画像を高画質で表示することが可能となる。
【００３６】
本実施例では、バックライト輝度決定部２０８は、第１記憶部２１６と第２記憶部２１６に記憶される、第１のバックライト輝度情報と第２のバックライト輝度情報のどちらかを選択するようにしたが、これに限られない。１つの記憶部を用い、１つのバックライト輝度情報のみで、バックライト輝度を決定してもよい。具体的には、スクリーンセーバー画像の画像信号が表示制御装置１０１に入力される際、スクリーンセーバー画像に対するバックライト輝度の算出を停止する。そして、遷移前の画像のバックライト輝度情報を、自動的にスクリーンセーバー画像に適用するように制御を行う。この場合であっても、スクリーンセーバー画像から元の表示画像への復帰時において、復帰直後から当該表示画像における画質を安定させることができ、当該表示画像を高画質に表示することが可能となる。
【００３７】
また、本実施例において第２のバックライト輝度情報を選択する場合、元の表示画像に対するバックライトの発光状態の影響により、スクリーンセーバー画像の画質に影響を及ぼすおそれがある。具体的には、バックライト２１９の制御領域８０１によっては、バックライト輝度が十分な領域、不十分な領域が発生し、スクリーンセーバー画像に輝度ムラが発生する場合がある。このような場合、画像信号補正部２１２が、スクリーンセーバー画像に不自然な輝度ムラが出ないように、スクリーンセーバー画像の画像信号を補正すればよい。こうすることで、スクリーンセーバー画像の輝度ムラを防止することができ、スクリーンセーバー画像の画質を向上させることができる。
【００３８】
また、本実施例では、画像信号に黒信号が含まれる場合でも、バックライト輝度制御部２１２はバックライト輝度を白信号の５分の１程度とするようにしたが、０にしてもよい。更に、バックライト輝度を０にした場合には、画像を表示できない画面の領域に対応する制御領域８０１が生じる。このような場合には、表示制御装置１０１から画像処理装置１００へバックライト輝度が０ではない領域（画像を表示できる画面の領域）を通知し、当該領域のみにスクリーンセーバー画像を表示するようにしてもよい。
【００３９】
また、モード管理部２０２が、バックライト輝度決定部２０８からバックライト輝度選択の完了通知応答を受けてから、スクリーンセーバー画像の画像信号を画像生成部２０４から画像信号出力部２０５に出力するようにしてもよい。そうすることで、バックライト輝度の切り換えとスクリーンセーバー画像表示のタイミングの同期を取ることができる。
【００４０】
また、本実施例では、元の表示画像に対するバックライト輝度と、スクリーンセーバー画像に対するバックライト輝度とが同一になるように、スクリーンセーバー画像に対するバックライト輝度の制御を行ったが、これに限られない。スクリーンセーバーモードへの遷移時において、バックライト光源の温度が低い状態に低下しないようにすれば、元の表示画像に対するバックライト輝度と、スクリーンセーバー画像に対するバックライト輝度とを同一にしなくてもよい。例えば、バックライト光源の温度低下を防止するために、スクリーンセーバー画像に対するバックライト輝度を、元の表示画像に対するバックライト輝度に近い輝度とすればよい。このとき、スクリーンセーバー画像に対するバックライト輝度は、元の表示画像に対するバックライト輝度よりも低くてもよいし、高くてもよい。このような構成により、スクリーンセーバー画像から元の表示画像への復帰時において、復帰直後から当該表示画像における画質を安定させることができ、当該表示画像を高画質で表示することが可能となる。
【００４１】
また、本実施例では、ローカルディミング制御がなされる場合について説明したが、これに限られない。ローカルディミング制御がなされない画像表示装置のバックライト制御に対しても、本実施例と同様の処理を行うことができる。
【００４２】
＜実施例２＞
実施例１では、画像がスクリーンセーバーモードに遷移した場合の実施例について説明した。実施例２では、静止画コンテンツに基づく画像を表示部１０４に表示させるまでに時間を要し、当該画像が表示部１０４に表示されるまでの間、表示部１０４に黒画像を表示させる場合について説明する。以下、実施例１との差異を中心に説明する。
【００４３】
図４は、画像処理装置１００と表示制御装置１０１の構成例を示す機能ブロック図である。画像処理装置１００は、ビューアアプリケーション（以下ビューア）５００、通信制御部２０３、画像信号出力部２０５を備える。ビューア５００は、ビューア画像信号生成部５０１とビューアモード管理部５０２とを備える。また、ビューア５００は、例えば、マウスなどによるユーザ操作によって、表示部１０４に表示するように選択（表示選択）された静止画コンテンツに基づく画像信号を画像信号出力部２０５に出力する。そして、ビューア５００は、静止画コンテンツの切り換え時には、次の静止画コンテンツを表示する準備が整うまで、黒画像の画像信号を画像信号出力部２０５に出力する（画像表示待機モードが実行される）。ここで、静止画コンテンツは、接続されたデバイスやその他の外部装置との通信によって取得したものであってもよい。また、静止画コンテンツは、画像処理装置１００の蓄積部（不図示）に蓄積したものであってもよい。また静止画コンテンツは、例えばＪＰＥＧ（Ｊｏｉｎｔ  Ｐｈｏｔｏｇｒａｐｈｉｃ  Ｅｘｐｅｒｔｓ  Ｇｒｏｕｐ）で圧縮符号化されたものでもよいし、未圧縮のものでもあってもよい。
【００４４】
ビューア画像信号生成部５０１は、表示部１０４に表示選択された静止画コンテンツに従い、デコード処理された画像信号を生成する。また、ビューア画像信号生成部５０１は、画像信号の生成を開始する場合、ビューアモード管理部５０２に対して画像信号生成の開始情報を通知する。そして、ビューア画像信号生成部５０１は、静止画コンテンツが切り換えられ、前記画像信号の生成を終了する場合、ビューアモード管理部５０２へ画像信号生成の終了情報を通知する。
【００４５】
ビューアモード管理部５０２は、ビューア画像信号生成部５０１から、画像信号生成の開始情報、または、画像信号生成の終了情報を通知された場合、黒画像表示モードのオン／オフに関する情報を通信制御部２０３に対して通知する。以下、画像表示モードのオン／オフに関する情報を、それぞれオン情報、オフ情報という。また、ビューアモード管理部５０２は、ビューア画像信号生成部５０１から、画像信号生成の開始情報の通知を受けると、黒画像の画像信号を画像信号出力部２０５に出力する。そして、ビューアモード管理部５０２は、ビューア画像信号生成部５０１から、画像信号生成の終了情報の通知を受けると、ビューア画像信号生成部５０１で生成した画像信号を、画像信号出力部２０５に対して出力する。そして、画像信号は、画像信号出力部２０５から表示制御部１０１に出力される。
【００４６】
通信制御部２０３は、データ信号線１０３を介して、画像処理装置１００の黒画像表示モードのオン情報を、表示制御装置１０１側の通信制御部２０６に対して送信する。表示制御装置１０１側の通信制御部２０６は、受信した黒画像表示モードのオン情報をバックライト輝度決定部２０８へ通知する。バックライト輝度決定部２０８は、入力した黒画像表示モードのオン情報と画質モードに従い、後述するバックライト輝度制御部２１２で用いるバックライト輝度情報を選択する。
【００４７】
次に、画像処理装置１００としてのＰＣの動作について説明する。図５は、本実施例における画像処理装置の動作を説明するためのフローチャートであり、図５を用いて説明する。本フローは、ユーザが静止画コンテンツを選択し、表示操作を行うと開始される。
【００４８】
Ｓ６０１で、ビューア画像信号生成部５０１は、表示選択された静止画コンテンツに従い、デコード処理された画像信号の生成を開始する。Ｓ６０２で、ビューア画像信号生成部５０１は、ビューアモード管理部５０２に対して、画像信号生成の開始情報を通知する。ビューアモード管理部５０２は、画像信号生成の開始情報の通知を受け、通信制御部２０３へ黒画像表示モードのオン情報を通知する。Ｓ６０３で、ビューアモード管理部５０２は、画像信号生成の開始情報の通知を受け、黒画像の画像信号を画像信号出力部２０５に出力する。
【００４９】
Ｓ６０４で、ビューア画像信号生成部５０１は、画像信号生成の終了を待つ。Ｓ６０５で、画像信号生成の終了後、ビューア画像信号生成部５０１は、ビューアモード管理部５０２へ画像信号生成の終了情報を通知する。ビューアモード管理部５０２は、画像信号生成の終了情報の通知を受け、通信制御部２０３へ黒画像表示モードのオフ情報を通知する。そして、ビューアモード管理部５０２は、画像信号生成の終了情報の通知を受け、画像信号出力部２０５へビューア画像信号生成部５０１で生成した画像信号を出力する。その後、Ｓ６０６で、当該画像信号が画像信号出力部２０５から表示制御装置１０１に出力され、上述の所定の処理がなされた後に、静止画コンテンツに基づく画像が表示部１０４に表示される。
【００５０】
次に表示制御装置１０１のバックライト輝度選択処理について説明する。図６は、第２の実施例における表示制御装置のバックライト輝度選択処理を説明するためのフローチャートであり、図６を用いて説明する。本フローは、ＰＣから黒画像表示モードのオン／オフに関する情報が表示制御装置１０１に入力されると開始される。
【００５１】
Ｓ７０１で、バックライト輝度決定部２０８は、通知された黒画像表示モードがオンかオフかを判定する。Ｓ７０５で、黒画像表示モードがオフの場合（Ｓ７０１でＮｏ）、バックライト輝度決定部２０８は、表示画像に基づく第１のバックライト輝度情報を選択する。Ｓ７０２で、黒画像表示モードがオンの場合（Ｓ７０１でＹｅｓ）、バックライト輝度決定部２０８は、画質モードが医療コンテンツ表示モードかどうかを判定する。Ｓ７０５で、画質モードが医療コンテンツ表示モードでない場合（Ｓ７０２でＮｏ）、バックライト輝度決定部２０８は、黒画像の画像信号に基づいた第１のバックライト輝度情報を選択する。Ｓ７０３で、画質モードが医療コンテンツ表示モードの場合（Ｓ７０２でＹｅｓ）、バックライト輝度決定部２０８は、黒画像の表示前に表示部１０４に表示されていた静止画コンテンツの画像信号に基づく第１のバックライト輝度情報を、第２記憶部２１７に第２のバックライト輝度情報として記憶させる。そして、Ｓ７０４で、バックライト輝度決定部２０８は、第２のバックライト輝度情報を、黒画像に対するバックライト輝度情報として選択する。
【００５２】
実施例２では、上述のように、黒画像を表示させる場合に、黒画像の表示前の静止画コンテンツの画像のバックライト輝度を維持して、それを黒画像に対するバックライト輝度として適用し、バックライト２１９を発光させる。そのため、黒画像の表示時に、バックライトの光源の温度が大きく低下することがない。それ故、表示直後の静止画コンテンツの画像に対するバックライト２１９の光源の温度を所望の温度に上げるための時間を、大幅に短縮することができる。その結果、黒画像から静止画コンテンツの画像が表示される場合、当該画像の表示直後から、当該画像における画質を安定させることができ、当該表示画像を高画質で表示させることが可能となる。
【００５３】
なお、本実施例では、黒画像表示させる場合について説明したが、これに限られない。例えば、黒画像の代わりに、全体的に暗い色のアニメーションの画像が表示される場合であっても、本実施例の制御を行えば、同様の効果を得ることができる。
【００５４】
＜実施例３＞
実施例１及び２では、画像全体の画質を安定させる例について説明した。実施例３では、ＰＣの表示する画像のうち、画面における、色の正確性の求められる画像の領域（一部の領域）に対して、スクリーンセーバーモードへの遷移時において、スクリーンセーバー画像から元の表示画像への復帰直後における表示画質を安定させる場合について説明する。具体的には、ＰＣがビューアを起動しており、ビューアの生成する画像が、静止画コンテンツとメニューバーなどのＧＵＩ（Ｇｒａｐｈｉｃ  Ｕｓｅｒ  Ｉｎｔｅｒｆａｃｅ）とを含む画像である状態で、ＰＣがスクリーンセーバーモードに遷移する場合を例に説明する。
【００５５】
以下、実施例１、２との差異を中心に説明する。図８は、画像処理装置１００と表示制御装置１０１の構成例を示すブロック図である。画像処理装置１００は、操作検出部２００、モード変更部２０１、モード管理部２０２、通信制御部２０３、画像生成部２０４、画像信号出力部２０５、ビューア５００を備える。操作検出部２００、モード管理部２０１、通信制御部２０３、画像生成部２０４、画像信号出力部２０５の動作は実施例１と同様であるため説明は省略する。
【００５６】
ビューア５００は、マウスなどのユーザ操作によって、表示部１０４に表示するように選択された写真などの色の正確性が求められる静止画コンテンツと、その静止画コンテンツの表示位置とを決定する。また、ビューア５００は、コンテンツの編集作業を行うためのメニューバーなどのＧＵＩを備えており、ユーザ操作によって、静止画コンテンツの作成、編集、保存などが可能である。ビューア５００は、前述した静止画コンテンツとＧＵＩとの表示位置を決定し、画像生成部２０４に表示画像の生成指示を行う。さらに、ビューア５００は、モード管理部２０２から、画面における静止画コンテンツの領域に関する情報である静止画コンテンツ領域情報の取得指示を受信した場合、少なくとも静止画コンテンツの位置、幅、高さなどの情報を含む静止画コンテンツ領域情報をモード管理部２０２へ送信する。
【００５７】
モード管理部２０２は、モード変更部２０１からスクリーンセーバーモードのオン情報を受信した場合、前述したビューア５００に対して、静止画コンテンツ領域情報の送信指示を行い、ビューア５００から静止画コンテンツ領域情報を受信する。そして、モード管理部２０２は、スクリーンセーバーモードのオン情報と、静止画コンテンツ領域情報とを通信制御部２０３に対して出力する。その後、モード管理部２０２は、画像生成部２０４に対して、スクリーンセーバー画像の画像信号を生成するように指示を行う。なお、モード管理部２０２が、モード変更部２０１からスクリーンセーバー画像の画像信号の生成を終了するように指示を受けた場合については、実施例１と同様であるため説明は省略する。
【００５８】
次に、表示制御装置１０１の各処理ブロックの機能について説明する。表示制御装置１０１は、通信制御部２０６、画質モード設定部２０７、バックライト輝度決定部２０８、画像信号入力部２０９、画質制御部２１０、バックライト輝度制御部２１２、画像信号補正部２１３、画像出力部２１４、点灯制御部２１５を備える。通信制御部２０６、画質モード設定部２０７、画像信号入力部２０９、画質制御部２１０、画像信号補正部２１３、画像出力部２１４、点灯制御部２１５の動作は、実施例１と同様であるため説明は省略する。
【００５９】
バックライト輝度決定部２０８は、通信制御部２０６を介してスクリーンセーバーモードのオン情報と静止画コンテンツ領域情報とを受信し、バックライト輝度制御部２１２に静止画コンテンツ領域情報を送信する。また、バックライト輝度決定部２０８は、画質モード設定部２０７から入力される画質モードに従い、スクリーンセーバー画像に対する発光輝度を決定する。具体的には、バックライト輝度決定部２０８は、バックライト輝度制御部２１２が備える第１のバックライト輝度情報と第２のバックライト輝度情報のうち、どちらか一方を選択し、バックライトの発光輝度を決定する制御を行う。
【００６０】
バックライト輝度制御部２１２は、入力される画像信号に基づいて、全ての制御領域８０１のバックライト輝度を算出する。ここで算出されるバックライト輝度の情報は、第１記憶部２１６に記憶される第１のバックライト輝度情報である。
【００６１】
本実施例では、第２のバックライト輝度情報は、スクリーンセーバー画像が表示制御装置１０１に入力される直前まで、表示制御装置１０１に入力されていた、画面における静止画コンテンツ領域の画像信号の第１のバックライト輝度情報から生成する。このとき、画面における静止画コンテンツ領域以外の領域に対応する制御領域８０１のバックライト輝度は、例えば０として保持される。つまり、本実施例では、スクリーンセーバーモードへ遷移した場合の、色の正確性が求められる画像が表示されていた画面の領域に対応する制御領域８０１のバックライト輝度を、遷移直前に表示されていた色の正確性が求められる画像のバックライト輝度と略同一にする。さらに、このとき、色の正確性が求められる画像が表示されていた画面の領域以外の領域に対する制御領域８０１のバックライト輝度は、０にする制御を行う。
【００６２】
また、バックライト輝度制御部２１２は、選択されたバックライト輝度情報が第２のバックライト輝度情報である場合、画像のミュート指示を行う（黒画面表示とする）ことで、スクリーンセーバー中にバックライトが特定の制御領域８０１のみ点灯した場合であっても、画面の違和感を抑制する。
【００６３】
次に、画像処理装置１００としてのＰＣの動作について説明する。図９は、本実施例における画像処理装置１００の動作を説明するフローチャートである。なお、本フローは、画像処理装置１００であるＰＣをユーザが操作し、ビューア５００を起動することで開始される。
【００６４】
Ｓ９０１で、操作検出部２００は、ある画像の表示中に、ＵＳＢで接続されたマウスやキーボードなどにおけるユーザによる操作が無い状態（無操作の状態）を検出する。そして、Ｓ９０２で、操作検出部２００は、無操作時間をカウントする。そして、操作検出部２００は、一定時間ユーザ操作が無い場合、モード変更部２０１へ無操作情報を送信する（Ｓ９０２でＹｅｓ）。
【００６５】
Ｓ９０３で、モード変更部２０１は、無操作情報の通知を受信して、スクリーンセーバー画像の生成を開始するように、モード管理部２０２に対して指示を送信する。そして、Ｓ９０４で、モード管理部２０２は、モード変更部２０１からスクリーンセーバー画像の表示の開始指示を受信して、通信制御部２０３へスクリーンセーバーモードのオン情報を送信する。
【００６６】
Ｓ９０５で、モード管理部２０２は、ビューア５００から静止画コンテンツ領域情報を受信して、通信制御部２０３へ送信する。そして、Ｓ９０６で、モード管理部２０２は、スクリーンセーバー画像の画像信号を生成するよう、画像生成部２０４へ指示を送信し、スクリーンセーバー画像の画像信号が、画像生成部２０４から画像信号出力部２０５に出力される。
【００６７】
Ｓ９０７で、スクリーンセーバーモードに遷移後、操作検出部２００がマウスやキーボードのユーザ操作を検出した場合（Ｓ９０７でＹｅｓ）、モード変更部２０１へユーザ操作の再開に関する情報を送信する。そして、Ｓ９０８で、モード変更部２０１は、ユーザ操作の再開情報を受信すると、スクリーンセーバー画像の表示の終了するようにモード管理部２０２に対して指示を送信する。
【００６８】
Ｓ９０９で、モード管理部２０２は、モード変更部２０１からスクリーンセーバー画像の表示終了の指示を受信すると、スクリーンセーバーモードのオフ情報を通信制御部２０３に対して送信する。また、モード管理部２０２は、スクリーンセーバー画像の画像信号の出力を停止するように画像生成部２０４に停止指示を送信する。そして、Ｓ９１０で、画像生成部２０４は、スクリーンセーバー画像停止後、元の表示画像の画像信号を生成し、画像信号出力部２０５へ送信する。
【００６９】
次に、表示制御装置１０１におけるバックライト輝度の選択動作について説明する。図１０は、本実施例における表示制御装置１０１の動作を説明するフローチャートである。
【００７０】
Ｓ１００１で、バックライト輝度決定部２０８は、通知されたスクリーンセーバーモードがオンかオフかを判定する。スクリーンセーバーモードがオンである場合（Ｓ１００１でＹｅｓ）、Ｓ１００２で、通信制御部２０６を介して、画像処理装置１００から静止画コンテンツ領域情報を受信し、バックライト輝度制御部２１２に対して、スクリーンセーバーモードのオン情報と静止画コンテンツ領域情報を送信する。
【００７１】
スクリーンセーバーモードがオフである場合（Ｓ１００１でＮｏ）、Ｓ１００６で、バックライト輝度決定部２０８は、第１のバックライト輝度情報を選択する指示を、バックライト輝度制御部２１２に対して送信する。つまり、スクリーンセーバーモードがオフである場合には、バックライト輝度制御部２１２は、入力される画像信号に基づいて、バックライト輝度を制御する。
【００７２】
Ｓ１００３で、バックライト輝度制御部２１２は、バックライト輝度決定部２０８からスクリーンセーバーモードのオン情報と静止画コンテンツ領域情報とを受信した場合、第１のバックライト輝度情報のうち、静止画コンテンツ領域の画像信号のバックライト輝度情報を有効とし、ＧＵＩなどが表示されている領域（言い換えれば、静止画コンテンツ領域以外の領域）に対応する制御領域８０１のバックライト輝度は０として、第２のバックライト輝度情報を生成する。なお、静止画コンテンツ領域以外の領域に対応する制御領域８０１のバックライトの輝度は、０に限らない。静止画コンテンツ領域以外の領域に対応する制御領域８０１のバックライトの輝度は、消費電力を低減できる値であれば、いくつであってもよい。具体的には、スクリーンセーバーモード遷移時の、静止画コンテンツ領域以外の領域に対応する制御領域８０１のバックライトの輝度は、例えば、ユーザによって設定される所定の閾値、または、表示制御装置１０１が予め保持する所定の閾値よりも低い値であれば、いくつであってもよい。
【００７３】
Ｓ１００４で、バックライト輝度決定部２０８は、バックライト輝度制御部２１２に対して、第２のバックライト輝度情報に基づいてバックライト輝度を制御するように指示を送信する。そして、Ｓ１００５で、バックライト輝度決定部２０８は、スクリーンセーバーモードのオフ情報を受信するか否かを判定する。
【００７４】
スクリーンセーバーモードのオフ情報を受信した場合（Ｓ１００５でＹｅｓ）、表示部１０４の表示画像が、スクリーンセーバーモードへの遷移前の表示画像（元の表示画像）に復帰するため、Ｓ１００６で、バックライト輝度決定部２０８は、第１のバックライト輝度情報を選択する指示を送信する。つまり、スクリーンセーバーモードがオフになれば、バックライト輝度制御部２１２は、静止画コンテンツ領域については、元の表示画像の画像信号に基づいて、当該静止画コンテンツ領域に対応する制御領域８０１のバックライト輝度を制御する。このような制御により、静止画コンテンツ領域に対応する制御領域８０１のバックライト光源に関して、復帰直後の元の表示画像に対するバックライト光源の温度が、スクリーンセーバーモードへの遷移前の表示画像に対するバックライト光源の温度と略同等の温度に安定して維持される状態となる。その結果、スクリーンセーバー画像から元の表示画像への復帰時において、静止画コンテンツについては、復帰直後から画質を安定させることができ、静止画コンテンツを高画質で表示することが可能となる。
【００７５】
以上、本実施例によれば、スクリーンセーバーモードに遷移するタイミングで、色の正確性が求められる画像（ここでは、静止画コンテンツ）が、表示画像のうちの一部の領域に存在する場合に、当該領域に対応する制御領域８０１のバックライトを点灯継続することで、当該色の正確性が求められる画像の画質の低下を防ぐことが可能となる。さらに、本実施例によれば、スクリーンセーバーモードへの遷移時には、メニューバーなどの色の正確さが求められない領域に対応する制御領域８０１のバックライトを消灯して使用しないため、消費電力を低減することが可能となる。
【００７６】
＜実施例４＞
実施例３では、スクリーンセーバーモードへの遷移時において、スクリーンセーバー画像から元の表示画像への復帰時における、色の正確性の求められる画像の画質を安定して表示させる場合について説明した。実施例４では、ＰＣでビューアを起動しており、ビューアの生成する画像が、静止画コンテンツとメニューバーなどのＧＵＩとを含む画像である状態で、ユーザ操作により表示制御装置１０１をスタンバイモードに移行（遷移）させることで、表示している画像を非表示にする場合について説明する。
【００７７】
以下、実施例３との差異を中心に、図８のブロック図を用いて説明する。画像処理装置１００は、操作検出部２００、モード変更部２０１、モード管理部２０２、通信制御部２０３、画像生成部２０４、画像信号出力部２０５、ビューア５００を備える。操作検出部２００、モード管理部２０１、通信制御部２０３、画像生成部２０４、画像信号出力部２０５、ビューア５００の動作は実施例３と同様であるため説明は省略する。
【００７８】
モード管理部２０２は、表示制御装置１０１から通信制御部２０３を介して、静止画コンテンツ領域情報の取得指示を受信した場合、ビューア５００から静止画コンテンツ領域情報を取得する。そして、モード管理部２０２は、表示制御装置１０１に対して、通信制御部２０３を介して、静止画コンテンツ領域情報を送信する。
【００７９】
次に、表示制御装置１０１の各処理ブロックの機能について説明する。画像制御装置１００は、通信制御部２０６、画質モード設定部２０７、バックライト輝度決定部２０８、画像信号入力部２０９、画質制御部２１０、バックライト輝度制御部２１２、画像信号補正部２１３、画像出力部２１４、点灯制御部２１５、メモリ部２２４を備える。通信制御部２０６、画像信号入力部２０９、画質制御部２１０、画像信号補正部２１３、画像出力部２１４、点灯制御部２１５の動作は、実施例３と同様であるため、説明は省略する。
【００８０】
画質モード設定部２０７は、例えば、表示部１０４やリモコンなどが備える所定のボタンを押す操作などのユーザ操作で実行されるスタンバイモードへの移行指示を検知した場合、スタンバイモードへ移行する。そして、画質モード設定部２０７は、画質制御部２１０に対して、表示部１０４の表示を黒画面（黒画面表示）とする制御指示を送信する。さらに、画質モード設定部２０７は、バックライト輝度決定部２０８に対して、スタンバイモード移行の指示を送信する。ここで、スタンバイモードとは、画像処理装置１００から表示制御装置１０１に対して画像信号が入力されていても、ユーザ操作をトリガに、表示部１０４の表示を黒画面（黒画面表示）とするモードである。黒画面は、表示部１０４に黒画像を表示することで構成されてもよいし、ノーマリーブラック方式の液晶パネルであれば、黒画像を表示しないで、液晶パネルに電圧をかけず、透過率を最小にすることで、黒画面を構成してもよい。なお、本実施例では、スタンバイモード移行時に、黒画像を表示することで、黒画面を構成する例について説明する。
【００８１】
バックライト輝度決定部２０８は、画質モード設定部２０７からスタンバイモードへの移行指示を受信した場合、通信制御部２０６を介して、モード管理部２０２に対して静止画コンテンツ領域情報の取得指示を送信し、通信制御部２０６を介して、モード管理部２０２から静止画コンテンツ領域情報を取得する。その後、バックライト輝度制御部２１２に対して、静止画コンテンツ領域情報を送信する。
【００８２】
メモリ部２２４は、後述する、黒画面表示を行うための黒画像信号を予め記憶する。
【００８３】
次に、画像処理装置１００としてのＰＣの動作について説明する。図１１は、本実施例における画像処理装置１００の動作を説明するフローチャートである。なお、本フローは、画像処理装置１００であるＰＣをユーザが操作し、ビューアを起動することで開始される。
【００８４】
まず、Ｓ１１０１で、モード管理部２０２は、通信制御部２０３を介して、表示制御装置１０１から静止画コンテンツ領域情報の取得指示を受信したかどうかを判定する。Ｓ１１０１で、モード管理部２０２が、静止画コンテンツ領域情報の取得指示を受信した場合（Ｓ１１０１でＹｅｓ）、Ｓ１１０２で、モード管理部２０２は、ビューア５００から静止画コンテンツ領域を取得し、通信制御部２０３を介して静止画コンテンツ領域情報を表示制御装置１０１に対して送信する。
【００８５】
次に、表示制御装置１０１のバックライト輝度の選択動作について説明する。図１２は、本実施例における表示制御装置１０１の動作を説明するフローチャートである。
【００８６】
まず、Ｓ１２０１で、画質モード設定部２０７は、リモコンなどによるユーザ操作で、スタンバイモードへの移行指示を受けたか否かを判定する。画質モード設定部２０７は、スタンバイモードへの移行指示を検知した場合（Ｓ１２０１でＹｅｓ）、画質制御部２１０に対して、黒画面表示の制御指示を送信する。また、画質モード設定部２０７は、バックライト輝度決定部２０８に対して、スタンバイモードへの移行指示を送信する。
【００８７】
次に、Ｓ１２０２で、画質制御部２１０は、黒画面表示の制御指示を受信し、表示部１０４に表示する黒画像の黒画像信号をメモリ部２２４から取得し、スタンバイモード移行前の入力画像信号ではなく、当該黒画像信号を画像出力部２１４に送信するよう、画像信号補正部２１３に指示する。そして、画像信号補正部２１３は、黒画像信号を画像出力部２１４に送信し、画像出力部２１４から表示部１０４に対して、黒画像信号が送信される。本実施例では、このような制御により、スタンバイモード移行前に表示されていた画像のミュート処理（非表示処理）を行い、表示部１０４の表示を黒画面にする。そして、Ｓ１２０３で、バックライト輝度決定部２０８は、通信制御部２０６を介して、画像処理装置１００に対して、静止画コンテンツ領域情報の取得指示を送信し、画像処理装置１００から静止画コンテンツ領域情報を受信する。
【００８８】
次に、Ｓ１２０４で、バックライト輝度制御部２１２は、第１のバックライト輝度情報のうち、画面における静止画コンテンツ領域の画像信号のバックライト輝度情報を有効とし、画面における静止画コンテンツ領域以外の領域に対応する制御領域８０１のバックライト輝度は０として、第２のバックライト輝度情報を生成する。なお、静止画コンテンツ領域以外の領域に対応する制御領域８０１のバックライトの輝度は、０に限らない。静止画コンテンツ領域以外の領域に対応する制御領域８０１のバックライトの輝度は、消費電力を低減できる値であれば、いくつであってもよい。具体的には、スタンバイモードへの移行時の、静止画コンテンツ領域以外の領域に対応する制御領域８０１のバックライトの輝度は、例えば、ユーザによって設定される所定の閾値、または、表示制御装置１０１が予め保持する所定の閾値よりも低い値であれば、いくつであってもよい。
【００８９】
次に、Ｓ１２０５で、バックライト輝度決定部２０８は、バックライト輝度制御部２１２に対して、第２のバックライト輝度情報に基づいてバックライト輝度を制御するように指示を送信する。そして、Ｓ１２０６で、バックライト輝度決定部２０８は、画質モード設定部２０７を介して、スタンバイモードの終了指示を受信するか否かを判定する。
【００９０】
Ｓ１２０６で、スタンバイ終了指示を受信した場合（Ｓ１２０７でＹｅｓ）、Ｓ１２０８で、バックライト輝度決定部２０８は、第１のバックライト輝度情報を選択する指示を、バックライト輝度制御部２１２に対して送信し、バックライト輝度が制御される。つまり、この場合のバックライト輝度は、ビューアを表示させているときの画像信号（スタンバイモードへの移行前の入力画像信号）に基づくバックライト輝度となる。また、Ｓ１２０１で、スタンバイモードへの移行指示を検知しない場合（Ｓ１２０１でＮｏ）におけるバックライト輝度についても同様に、ビューアを表示させているときの画像信号に基づくバックライト輝度となるよう制御される。
【００９１】
以上、本実施例によれば、スタンバイモードに移行するタイミングで、色の正確性が求められる画像（本実施例では、静止画コンテンツ）が画面の一部の領域に存在する場合に、その領域に対応する制御領域８０１のバックライトの点灯を継続することで、バックライトに係る静止画コンテンツの画質の低下を防ぐことが可能となる。また、メニューバーなどの画質の正確さが求められない画像に対応するバックライトの制御領域８０１については、バックライトを消灯させるため、消費電力を低減することが可能となる。
【００９２】
＜実施例５＞
実施例４のスタンバイモードにおいて、画面の一部の領域に対応するバックライトの制御領域のみを発光させることにより、画面における当該一部の領域近傍で、部分的な光の漏れが発生することとなる。これにより、黒画面の一部の領域において黒浮きが発生する。これは、ユーザに対して、大きな妨害感を与えてしまう。本実施例では、このような場合において、画面におけるバックライトが点灯する当該一部の領域からの距離に応じて、液晶パネルのシャッターを開放することで、光の漏れ具合を自然なものとして、スタンバイモードへの移行時におけるユーザの妨害感を低減する例について説明する。
【００９３】
以下、実施例４との差異を中心に、実施例２と同様の図８のブロック図を用いて説明する。
【００９４】
まず、表示制御装置１０１の各処理ブロックの機能について説明する。表示制御装置１０１は、通信制御部２０６、画質モード設定部２０７、バックライト輝度決定部２０８、画像信号入力部２０９、画質制御部２１０、バックライト輝度制御部２１２、画像信号補正部２１３、画像出力部２１４、点灯制御部２１５、メモリ部２２４を備える。なお、通信制御部２０６、画像信号入力部２０９、画質制御部２１０、画像信号補正部２１３、画像出力部２１４、点灯制御部２１５の動作は、実施例３と同様であるため、説明は省略する。また、画質モード設定部２０７、バックライト輝度決定部２０８、メモリ部２２４は、実施例４と同様であるため、説明は省略する。
【００９５】
バックライト輝度制御部２１２は、画面における静止画コンテンツ領域からの距離に応じた液晶パネル２１８の開放を制御するため、画像信号補正部２１３に対して、スタンバイモード時の黒画像信号に所定の信号補正を行うよう要求する。所定の信号補正とは、画面において、静止画コンテン領域から、例えば１００画素離れるごとに液晶パネル２１８の液晶画素を１階調ずつ開放さて黒画像を表示するように、黒画像信号に対して行う信号補正である。具体的な例については、後述する。
【００９６】
次に、表示制御装置１０１のバックライト輝度の選択動作について説明する。図１３は、本実施例における表示制御装置１０１の動作を説明するフローチャートである。
【００９７】
まず、Ｓ１３０１で、画質モード設定部２０７は、スタンバイモードへ移行させるユーザ操作を検知した場合（Ｓ１３０１でＹｅｓ）、スタンバイモードへ移行して、画質制御部２１０に対して、黒画面表示を行うための、黒画像信号に基づく黒画像表示の制御指示を送信する。また、画質モード設定部２０７は、バックライト輝度決定部２０８に対して、スタンバイモードへの移行指示を送信する。そして、Ｓ１３０２で、画質制御部２１０は、黒画像表示の制御指示を受信し、メモリ部２２４から黒画像信号を取得する。そして、画質制御部２１０は、スタンバイモード移行前の入力画像信号ではなく、当該黒画像信号を画像補正部２１３に出力する。これにより、スタンバイモード移行前に表示されていた画像のミュート処理が実行される。
【００９８】
次に、Ｓ１３０３で、バックライト輝度決定部２０８は、通信制御部２０６を介して、画像処理装置１００に対して、静止画コンテンツ領域情報の取得指示を送信する。そして、バックライト輝度決定部２０８は、通信制御部２０６を介して、画像処理装置１００から静止画コンテンツ領域情報を受信する。
【００９９】
次に、Ｓ１３０４で、バックライト輝度制御部２１２は、第１のバックライト輝度情報のうち、画面における静止画コンテンツ領域の画像信号のバックライト輝度情報を有効とし、画面における静止画コンテンツ領域以外の領域に対応する制御領域８０１のバックライト輝度は０として、第２のバックライト輝度情報を生成する。なお、静止画コンテンツ領域以外の領域に対応する制御領域８０１のバックライトの輝度は、０に限らない。静止画コンテンツ領域以外の領域に対応する制御領域８０１のバックライトの輝度は、消費電力を低減できる値であれば、いくつであってもよい。具体的には、スタンバイモードへの移行時の、静止画コンテンツ領域以外の領域に対応する制御領域８０１のバックライトの輝度は、例えば、ユーザによって設定される所定の閾値、または、表示制御装置１０１が予め保持する所定の閾値よりも低い値であれば、いくつであってもよい。
【０１００】
次に、Ｓ１３０５で、バックライト輝度決定部２０８は、バックライト輝度制御部２１２に対して、第２のバックライト輝度情報に基づいてバックライト輝度を制御するように指示を送信する。そして、Ｓ１３０６で、バックライト輝度制御部２１２は、画面における静止画コンテンツ領域からの距離に応じた液晶パネル２１８の液晶画素の開放を行うため、画像信号補正部２１３に対して、Ｓ１３０２で入力された黒画像信号に対する所定の信号補正を実行するよう指示をする。
【０１０１】
ここで、Ｓ１３０６の構成及び効果について、図１４（ａ）及び図１４（ｂ）を用いて具体的に説明する。図１４は、本実施例における構成及び効果を説明する説明図である。黒画像を表示する場合、一般的に、黒画像表示領域における液晶パネル２１８の液晶画素の透過率は、全て０％と設定される。また、一般的に、液晶パネルの性質上、背面からバックライト光が照射されている場合、例え液晶画素の透過率を０％にしたとしても、背面から照射される光を完全に遮断できず、多少の光の漏れが発生してしまう。このような背景のもと、本実施例のように、静止画コンテンツ領域に対応するバックライト２１９の領域（以下、点灯領域２２０という）のみ、バックライト２１９を点灯させる場合において、液晶パネル２１８の全ての液晶画素の透過率を０％としたとき、図１４（ａ）で示されるように、画面における点灯領域２２０に対応する領域周辺では照射光が漏れ、黒浮きが生じる。言い換えれば、液晶パネル２１８の全ての液晶画素の透過率が０％であるため、画面における点灯領域２２０に対応する領域周辺のみの表示色が、黒色ではなく灰色となってしまう。具体的には、図１４（ａ）で示されるように、灰色から黒色への表示色の変化が滑らかではないため（階調性が低いため）、黒浮きが一層目立ってしまう。その結果、ユーザに大きな妨害感を与えてしまう。しかし、本実施例では、図１４（ｂ）で示されるように、画面における点灯領域２２０からの距離に応じて、例えば、液晶画素の透過率を５％、１０％と上げていく制御を行うよう、黒画像信号を補正する。このように、段階的に液晶パネル２１８の液晶画素の透過率を、点灯領域から遠ざかるにつれて上げることで、画面における液晶画素の透過率が５％、１０％の領域において、点灯領域２２０からの照射光を敢えて漏らすようにする。このような制御により、図１４（ｂ）で示されるように、表示される黒画像において、画面における点灯領域２２０に対応する領域から外側に向かってバックライト光の漏れが段階的になり、図１４（ａ）の構成と比べて、灰色から黒色への表示色の変化（階調性）が滑らかになる。その結果、黒画像における黒浮きが目立ちにくくなり、ユーザが感じる妨害感を大きく低減することができる。なお、本実施例では、透過率の変化の段階数を２段階にしたが、これに限らず、３段階以上の段階数を設定するよう、黒画像信号を補正してもよい。
【０１０２】
そして、Ｓ１３０７で、バックライト輝度決定部２０８は、画質モード設定部２０７を介してスタンバイ終了指示を受信したか否かを判定する。スタンバイ終了指示を受信した場合（Ｓ１３０７でＹｅｓ）、Ｓ１３０８で、バックライト輝度決定部２０８は、第１のバックライト輝度情報を選択する指示を送信する。つまり、Ｓ１３０８では、ビューアを表示させているときの画像信号に基づくバックライト輝度信号を選択し、本フローは終了する。
【０１０３】
以上、本実施例によれば、スタンバイモードに移行するタイミングで、色の正確性が求められる画像（本実施例では、静止画コンテンツ）が画面の一部の領域に存在する場合に、その領域に対応する制御領域のバックライトの点灯を継続することで、バックライトに係る静止画コンテンツの画質の低下を防ぐことが可能となる。また、メニューバーなどの画質の正確さが求められない画像に対応するバックライトの制御領域については、バックライトを消灯させるため、消費電力を低減することが可能となる。さらに、本実施例によれば、スタンバイモードにおける黒画面表示をユーザが視認するときに、バックライトの点灯領域からの距離に応じて、液晶パネルの液晶画素の開放を行うことで、バックライトの点灯領域に対応する画面における領域から外側に向かって、画面におけるバックライト光の漏れを段階的することできる。その結果、黒浮きが目立ちにくくなり、ユーザが感じる妨害感を低減することが可能となる。
【０１０４】
＜実施例６＞
実施例５では、スタンバイモード時における黒画像の一部の領域において発生する黒浮きがユーザに対して与える妨害感を、バックライトの点灯領域に対応する画面における領域からの距離に応じて、液晶パネルの液晶画素の透過率を制御することで低減させる構成について説明した。本実施例では、バックライトの点灯領域に対応する画面における領域からの距離に応じて、バックライトの発光量を制御することで、黒浮きによる妨害感を低減する構成について説明する。以下、実施例５と同様に、実施例４との差異を中心に、実施例２と同様の図８のブロック図を用いて説明する。
【０１０５】
まず、表示制御装置１０１の各処理ブロックの機能について説明する。表示制御装置１０１は、通信制御部２０６、画質モード設定部２０７、バックライト輝度決定部２０８、画像信号入力部２０９、画質制御部２１０、バックライト輝度制御部２１２、画像信号補正部２１３、画像出力部２１４、点灯制御部２１５、メモリ部２２４を備える。なお、通信制御部２０６、画像信号入力部２０９、画質制御部２１０、画像信号補正部２１３、画像出力部２１４、点灯制御部２１５の動作は実施例３と同様であるため、説明は省略する。また、画質モード設定部２０７、バックライト輝度決定部２０８、メモリ部２２４は、実施例４と同様であるため、説明は省略する。
【０１０６】
バックライト輝度制御部２１２は、画面における、静止画コンテンツ領域情報に基づくバックライト２１９の点灯領域からの距離に応じた第２バックライト輝度情報を生成する。具体的な例については、後述する。
【０１０７】
次に、表示制御装置１０１のバックライト輝度の選択動作について説明する。バックライト輝度の選択動作フローは実施例４と同様の図１２を用いて説明する。なお、Ｓ１２０１からＳ１２０３においては、処理が同一であるためここでの説明は省略する。
【０１０８】
Ｓ１２０４で、バックライト輝度制御部２１２は、静止画コンテンツ領域情報に基づくバックライト２１９の点灯領域に対応する画面における領域からの距離に応じて、第２バックライト輝度情報を生成する。具体的には、当該点灯領域のバックライト輝度情報レベル（発光量のレベル）が１００である場合、当該点灯領域に隣接する所定の領域のバックライト輝度情報レベルを、例えば３０とし、さらにその所定の領域に隣接する領域のバックライト輝度情報レベルを０とする第２のバックライト輝度情報を生成する。
【０１０９】
ここで、Ｓ１２０４の構成及び効果について、図１５（ａ）及び図１５（ｂ）を用いて具体的に説明する。図１５は、本実施例における構成及び効果を説明する説明図である。図１５（ａ）のように、静止画コンテンツ領域に対応するバックライト２１９の点灯領域２２０のみ、発光量のレベルを１００とし、当該点灯領域２２０以外のバックライト２１９の領域２２１の発光量のレベルを０として、液晶パネル２１８の全ての液晶画素の透過率を０％に設定して点灯させる場合において、画面における点灯領域２２０に対応する領域周辺ではバックライト２１９からの光が漏れ、黒浮きが生じる。言い換えれば、画面における点灯領域２２０に対応する領域周辺のみの表示色が、黒色ではなく灰色となってしまう。具体的には、図１５（ａ）で示されるように、灰色から黒色への表示色の変化が滑らかではないため（階調性が低いため）、黒浮きが一層目立ってしまう。その結果、ユーザに大きな妨害感を与えてしまう。しかし、本実施例では、図１５（ｂ）で示されるように、点灯領域２２０の発光量のレベルを１００とする一方で、点灯領域２２０に対応する画面における領域からの距離に応じて、例えば、発光量のレベルが３０の領域２２２、発光量のレベルが０である領域２２３を設定する制御を行うよう、黒画像信号を補正する。このように、バックライト２１９において、バックライト２１９の発光量を、点灯領域２２０から外側に向かって段階的に減らすことで、図１５（ｂ）で示されるように、表示される黒画像において、点灯領域２２０に対応する画面における領域から外側に向かってバックライト光の漏れが段階的になり、図１５（ａ）の構成と比べて、灰色から黒色への表示色の変化（階調性）が滑らかになる。その結果、黒画像における黒浮きが目立ちにくくなり、ユーザが感じる妨害感を大きく低減することができる。なお、本実施例では、バックライトの発光量の変化の段階数を３段階（１００、３０、０）にしたが、これに限らず、４段階以上の段階数（例えば、１００、５０、３０、０）を設定するよう、黒画像信号を補正してもよい。
【０１１０】
そして、Ｓ１２０５で、バックライト輝度決定部２０８は、バックライト輝度制御部２１２に対して、第２のバックライト輝度情報に基づいてバックライト輝度を制御するように指示を送信する。なお。Ｓ１２０６以降の処理については、実施例４と処理が同一であるためここでの説明は省略する。
【０１１１】
以上、本実施例によれば、スタンバイモードに移行するタイミングで、色の正確性が求められる画像（本実施例では、静止画コンテンツ）が画面の一部の領域に存在する場合に、その領域に対応する制御領域のバックライトの点灯を継続することで、バックライトに係る静止画コンテンツの画質の低下を防ぐことが可能となる。また、メニューバーなどの画質の正確さが求められない画像に対応するバックライトの制御領域については、バックライトを消灯させるため、消費電力を低減することが可能となる。さらに、本実施例によれば、スタンバイモードにおける黒画面表示をユーザが視認するときに、バックライトの点灯領域に対応する画面における領域からの距離に応じて、バックライトの発光量を段階的に少なくすることで、バックライトの点灯領域に対応する画面における領域から外側に向かって、画面におけるバックライトからの光の漏れを段階的することできる。その結果、黒浮きが目立ちにくくなり、ユーザが感じる妨害感を低減することが可能となる。
【０１１２】
以上、図面を参照しながら本発明の好ましい実施形態について説明したが、本発明は係る例に限定されない。例えば、実施例１、２では、画質モードが医療コンテンツ表示モードでない場合に、上述の制御を行ったが、これに限らない。画質モードが、テキスト表示モードや静止画像表示モードなどの場合であっても、実施例１、２の制御を適用できる。
【０１１３】
また、実施例１、２では、デコード処理を画像処理装置１００で行ったが、これに限らない。例えば、ＵＳＢなどを介して、外部メモリから画像信号が入力される場合は、表示制御装置１０１で、画像信号にデコード処理を施してもよい。
【０１１４】
また、実施例１、２における画像は、静止画コンテンツに基づく画像であるが、動画コンテンツに基づく画像であってもよい。例えば、被写体が動きの少ない風景などの動画であれば、バックライト２１９の発光状態は、ほとんど変わらない。そのため、動画コンテンツに基づく画像に対しても、実施例１、２の制御を適用できる。
【０１１５】
また、実施例３乃至６において、スクリーンセーバーモードまたはスタンバイモードへ遷移した場合、色の正確性が求められる画像が表示されていた領域に対応する制御領域のバックライト輝度を、遷移直前に表示されていた色の正確性が求められる画像のバックライト輝度と略同一にする構成を例に説明したが、これに限らない。バックライト光源の温度が低い状態に低下しないようにすれば、遷移直前に表示されていた色の正確性が求められる画像に対するバックライト輝度と、スクリーンセーバーモードまたはスタンバイモードへの遷移直後に表示される画像に対するバックライト輝度とを同一にしなくてもよい。
【０１１６】
また、実施例３乃至６において、色の正確性の求められる画像として、静止画コンテンツの例で説明したがこれに限らない。例えば、色の正確性の求められる画像として、動画像であってもよい。また、色の正確性の求められる画像領域を、画像処理装置が自動的に設定する構成であってもよいし、ユーザによる指示で設定する構成であってもよい。
【０１１７】
また、実施例４乃至６において、黒画像信号を、表示制御装置１０１が備えるメモリ部２２４に保持していたが、これに限らない。画像表示装置１００から表示制御装置１０１に対して、黒画像信号が出力されてもよい。
【０１１８】
また、実施例４乃至６において、スタンバイモード時において、表示部１０４に単一色の黒色の画像信号に基づく黒画像を表示する構成について説明したが、これに限らない。例えば灰色や紫色など、黒色以外の単一色の画像信号に基づく画像であってもよい。
【０１１９】
また、本発明では、スクリーンセーバーモード時や、スタンバイモード時、静止画コンテンツの画像表示前に、黒画像やアニメーションの画像を表示させているが、画像を表示させないようにしてもよい。具体的には、スクリーンセーバーモード時や、スタンバイモード時、静止画コンテンツの画像表示前に、画像信号を表示制御装置１０１に出力しないようにしてもよい。この場合、スクリーンセーバーモードへの遷移前の画像、スタンバイモードへの遷移前の色の正確性が求められる画像、または、これから表示予定の静止画コンテンツの画像に基づくバックライト輝度情報に基づいて、バックライト２１９を発光させればよい。
【０１２０】
また、本発明では、画像表示装置が、液晶パネルを有する液晶表示装置である場合の例を説明したが、画像表示装置は液晶表示装置に限らない。例えば、液晶パネルの代わりに、ＬＥＤなどの光源から構成される発光装置からの光を透過する表示素子として、液晶素子以外の表示素子を有する表示パネルが用いられてもよい。
【符号の説明】
【０１２１】
１００  画像処理装置
１０１  表示制御装置
１０２  画像信号線
１０３  データ信号線
１０４  表示部
２００  操作検出部
２０１  モード変更部
２０２  モード管理部
２０３  通信制御部
２０４  画像生成部
２０５  画像出力部
２０６  通信制御部
２０７  画質モード設定部
２０８  バックライト輝度決定部
２０９  画像信号入力部
２１０  画質制御部
２１２  バックライト輝度制御部
２１３  画像信号補正部
２１４  画像出力部
２１５  点灯制御部
２１６  第１のバックライト輝度情報記憶部
２１７  第２のバックライト輝度情報記憶部
２１８  液晶パネル
２１９  バックライト
２２４  メモリ部
【図１】
2014206691.tif 000003
【図２】
2014206691.tif 000004
【図３】
2014206691.tif 000005
【図４】
2014206691.tif 000006
【図５】
2014206691.tif 000007
【図６】
2014206691.tif 000008
【図７】
2014206691.tif 000009
【図８】
2014206691.tif 000010
【図９】
2014206691.tif 000011
【図１０】
2014206691.tif 000012
【図１１】
2014206691.tif 000013
【図１２】
2014206691.tif 000014
【図１３】
2014206691.tif 000015
【図１４】
2014206691.tif 000016
【図１５】
2014206691.tif 000017